【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
現像剤受け入れ装置に着脱可能に設けられ少なくともセット方向への回動を伴うセット動作により現像剤受け入れ装置にセットされる現像剤補給容器において、
現像剤を収容する収容部と、
前記セット動作に伴い上方から側方を向くように前記現像剤補給容器の周面に設けられた現像剤排出口と、
前記収容部内の現像剤を前記現像剤排出口に向けて搬送する回転可能な搬送部材と、
前記現像剤受け入れ装置の駆動ギアと噛合い可能に設けられ、前記現像剤補給容器に前記セット方向への力が生じるように前記セット方向とは逆方向へ回転する前記駆動ギアからの回転力を前記搬送部材へ伝達するとともに前記セット方向とは逆方向へ前記搬送部材を回転させる駆動伝達手段と、
を有することを特徴とする現像剤補給容器。
【請求項２】
前記現像剤補給容器の前記セット方向への回動を現像剤排出位置にて停止させる停止部を有することを特徴とする請求項１の現像剤補給容器。
【請求項３】
前記駆動伝達手段は前記駆動ギアと噛合い可能に設けられた第１の駆動伝達部材と、前記搬送部材と同軸的に回転可能な第２の駆動伝達部材と、を有することを特徴とする請求項１又は請求項２の現像剤補給容器。
【請求項４】
前記第１の駆動伝達部材は前記現像剤補給容器の回動中心から偏心した位置を中心に回転可能なギアを有し、前記第２の駆動伝達部材は前記搬送部材と同軸的に回転可能なギアを有することを特徴とする請求項３の現像剤補給容器。
【請求項５】
前記第２の駆動伝達部材は前記現像剤補給容器の回動中心を中心に回転可能であることを特徴とする請求項４の現像剤補給容器。
【請求項６】
前記駆動伝達手段は、前記駆動ギアと噛合い可能なベルトと、前記ベルトを懸架する複数の懸架部材と、を有することを特徴とする請求項１の現像剤補給容器。
【請求項７】
前記複数の懸架部材のうち１つは前記現像剤補給容器の回動中心から偏心した位置を中心に回動可能であることを特徴とする請求項６の現像剤補給容器。
【請求項８】
前記駆動ギアの回転に伴い前記現像剤補給容器を現像剤排出位置に向けて前記セット方向へ回動させるための負荷が前記駆動伝達手段に付与されていることを特徴とする請求項１乃至請求項７のいずれかの現像剤補給容器。
【請求項９】
前記現像剤排出口の向きが鉛直上向きを基準に±３０°の範囲内となるように、前記現像剤補給容器の前記現像剤受け入れ装置への装着姿勢を規制する規制部材を有することを特徴とする請求項１乃至請求項８のいずれかの現像剤補給容器。
【請求項１０】
前記規制部材は前記駆動伝達手段が前記駆動ギアと噛合わないように前記現像剤補給容器の前記現像剤受け入れ装置への装着姿勢を規制することを特徴とする請求項９の現像剤補給容器。
【請求項１１】
前記規制部材は前記現像剤補給容器がその長手方向に沿って前記現像剤受け入れ装置へ装着されるように前記現像剤補給容器の装着姿勢を規制することを特徴とする請求項９又は請求項１０の現像剤補給容器。
【請求項１２】
前記現像剤排出口が周面に設けられ前記収容部の周りを回動可能な筒部を有し、前記セット動作に伴い前記筒部が前記収容部に対し回動するように構成されていることを特徴とする請求項１乃至請求項１１のいずれかの現像剤補給容器。
【請求項１３】
前記現像剤排出口が前記収容部の周面に設けられており、前記セット動作に伴い前記収容部が回動するように構成されていることを特徴とする請求項１乃至請求項１１のいずれかの現像時補給容器。
【請求項１４】
前記搬送部材は、軸部と、前記軸部に固定され前記収容部の内面と摺動可能に設けられた翼部と、を有することを特徴とする請求項１乃至請求項１３のいずれかの現像剤補給容器。
【請求項１５】
前記搬送部材は前記現像剤補給容器の回動中心を中心に回転可能であることを特徴とする請求項１乃至請求項１４のいずれかの現像剤補給容器。
【請求項１６】
前記搬送部材は前記現像剤補給容器の回動中心から偏心した位置を中心に回転可能であることを特徴とする請求項１乃至請求項１４のいずれかの現像剤補給容器。
【請求項１７】
前記現像剤受け入れ装置の現像剤受け入れ口を開閉するシャッタと係合可能に設けられ、前記現像剤補給容器の前記セット方向への回動動作と前記シャッタの開封動作を連動させる連動部を有することを特徴とする請求項１乃至請求項１６のいずれかの現像剤補給容器。
【請求項１８】
現像剤受け入れ装置に着脱可能に設けられ少なくともセット方向への回動を伴うセット動作により現像剤受け入れ装置にセットされる現像剤補給容器において、
現像剤を収容する収容部と、
前記セット動作に伴い上方から側方を向くように前記収容部の周面に設けられた現像剤排出口と、
前記収容部内の現像剤を前記現像剤排出口に向けて搬送する回転可能な搬送部材と、
前記現像剤受け入れ装置の駆動ギアと噛合い可能に設けられ、前記収容部に前記セット方向への力が生じるように前記セット方向とは逆方向へ回転する前記駆動ギアからの回転力を前記搬送部材へ伝達するとともに前記セット方向とは逆方向へ前記搬送部材を回転させる駆動伝達手段と、
を有することを特徴とする現像剤補給容器。
【請求項１９】
現像剤受け入れ装置に着脱可能に設けられ少なくともセット方向への回動を伴うセット動作により現像剤受け入れ装置にセットされる現像剤補給容器において、
現像剤を収容する収容部と、
前記セット動作に伴い上方から側方を向くように前記収容部の周面に設けられた現像剤排出口と、
前記収容部内の現像剤を前記現像剤排出口に向けて搬送する回転可能な搬送部材と、
前記現像剤受け入れ装置の駆動ギアと噛合い可能に設けられた第１のギアと、
前記搬送部材が前記セット方向とは逆方向へ回転するように、前記駆動ギアとの噛合いにより前記セット方向と同方向へ回転する前記第１のギアと前記搬送部材間の駆動伝達を中継する第２のギアと、
を有することを特徴とする現像剤補給容器。
【請求項２０】
前記第１のギアとともに同軸的に回転する第３のギアを有し、前記第２のギアは前記第３のギアと係合関係にあり、且つ、前記搬送部材と同軸的に回転するように設けられていることを特徴とする請求項１９の現像剤補給容器。
【請求項２１】
現像剤補給容器から現像剤受け入れ装置へ現像剤を補給するための現像剤補給システムにおいて、
前記現像剤受け入れ装置は、前記現像剤補給容器が取り外し可能に装着されるとともに前記現像剤補給容器のセット方向への回動を伴うセット動作を許容する装着部と、前記セット方向とは逆方向へ回転可能な駆動ギアと、を有し、
前記現像剤補給容器は、現像剤を収容する収容部と、前記セット動作に伴い上方から側方を向くように前記現像剤補給容器の周面に設けられた現像剤排出口と、前記収容部内の現像剤を前記現像剤排出口に向けて搬送する回転可能な搬送部材と、前記駆動ギアと噛合い可能に設けられ前記現像剤補給容器に前記セット方向への力が生じるように前記セット方向とは逆方向へ回転する前記駆動ギアからの回転力を前記搬送部材へ伝達するとともに前記セット方向とは逆方向へ前記搬送部材を回転させる駆動伝達手段と、を有する、
ことを特徴とする現像剤補給システム。
【請求項２２】
前記現像剤補給容器の前記セット方向への回動を現像剤排出位置にて停止させる停止部を有することを特徴とする請求項２１の現像剤補給システム。
【請求項２３】
前記駆動伝達手段は前記駆動ギアと噛合い可能に設けられた第１の駆動伝達部材と、前記搬送部材と同軸的に回転可能な第２の駆動伝達部材と、を有することを特徴とする請求項２１又は請求項２２の現像剤補給システム。
【請求項２４】
前記第１の駆動伝達部材は前記現像剤補給容器の回動中心から偏心した位置を中心に回転可能なギアを有し、前記第２の駆動伝達部材は前記搬送部材と同軸的に回転可能なギアを有することを特徴とする請求項２３の現像剤補給システム。
【請求項２５】
前記第２の駆動伝達部材は前記現像剤補給容器の回動中心を中心に回転可能であることを特徴とする請求項２４の現像剤補給システム。
【請求項２６】
前記駆動伝達手段は、前記駆動ギアと噛合い可能なベルトと、前記ベルトを懸架する複数の懸架部材と、を有することを特徴とする請求項２１の現像剤補給システム。
【請求項２７】
前記複数の懸架部材のうち１つは前記現像剤補給容器の回動中心から偏心した位置を中心に回動可能であることを特徴とする請求項２６の現像剤補給システム。
【請求項２８】
前記駆動ギアの回転に伴い前記現像剤補給容器を現像剤排出位置に向けて前記セット方向へ回動させるための負荷が前記駆動伝達手段に付与されていることを特徴とする請求項２１乃至請求項２７のいずれかの現像剤補給システム。
【請求項２９】
前記現像剤排出口の向きが鉛直上向きを基準に±３０°の範囲内となるように、前記現像剤補給容器の前記現像剤受け入れ装置への装着姿勢を規制する規制部材を有することを特徴とする請求項２１乃至請求項２８のいずれかの現像剤補給システム。
【請求項３０】
前記規制部材は前記駆動伝達手段が前記駆動ギアと噛合わないように前記現像剤補給容器の前記現像剤受け入れ装置への装着姿勢を規制することを特徴とする請求項２９の現像剤補給システム。
【請求項３１】
前記規制部材は前記現像剤補給容器がその長手方向に沿って前記現像剤受け入れ装置へ装着されるように前記現像剤補給容器の装着姿勢を規制することを特徴とする請求項２９又は請求項３０の現像剤補給システム。
【請求項３２】
前記現像剤排出口が周面に設けられ前記収容部の周りを回動可能な筒部を有し、前記セット動作に伴い前記筒部が前記収容部に対し回動するように構成されていることを特徴とする請求項２１乃至請求項３１のいずれかの現像剤補給システム。
【請求項３３】
前記現像剤排出口が前記収容部の周面に設けられており、前記セット動作に伴い前記収容部が回動するように構成されていることを特徴とする請求項２１乃至請求項３１のいずれかの現像時補給システム。
【請求項３４】
前記搬送部材は、軸部と、前記軸部に固定され前記収容部の内面と摺動可能に設けられた翼部と、を有することを特徴とする請求項２１乃至請求項３３のいずれかの現像剤補給システム。
【請求項３５】
前記搬送部材は前記現像剤補給容器の回動中心を中心に回転可能であることを特徴とする請求項２１乃至請求項３４のいずれかの現像剤補給システム。
【請求項３６】
前記搬送部材は前記現像剤補給容器の回動中心から偏心した位置を中心に回転可能であることを特徴とする請求項２１乃至請求項３４のいずれかの現像剤補給システム。
【請求項３７】
前記現像剤受け入れ装置は、現像剤受け入れ口と、前記現像剤受け入れ口を開閉するシャッタと、を有し、
前記現像剤補給容器は、前記シャッタと係合可能に設けられ、前記現像剤補給容器の前記セット方向への回動動作と前記シャッタの開封動作を連動させる連動部を有することを特徴とする請求項２１乃至請求項３６のいずれかの現像剤補給システム。
【手続補正２】
【補正対象書類名】明細書
【補正対象項目名】００１３
【補正方法】変更
【補正の内容】
【００１３】
上記課題を解決するための本発明における代表的な手段は、現像剤受け入れ装置に着脱可能に設けられ少なくともセット方向への回動を伴うセット動作により現像剤受け入れ装置にセットされる現像剤補給容器において、現像剤を収容する収容部と、前記セット動作に伴い上方から側方を向くように前記現像剤補給容器の周面に設けられた現像剤排出口と、前記収容部内の現像剤を前記現像剤排出口に向けて搬送する回転可能な搬送部材と、前記現像剤受け入れ装置の駆動ギアと噛合い可能に設けられ、前記現像剤補給容器に前記セット方向への力が生じるように前記セット方向とは逆方向へ回転する前記駆動ギアからの回転力を前記搬送部材へ伝達するとともに前記セット方向とは逆方向へ前記搬送部材を回転させる駆動伝達手段と、を有することを特徴とする。
【手続補正３】
【補正対象書類名】明細書
【補正対象項目名】００１４
【補正方法】変更
【補正の内容】
【００１４】
また、本発明の他の手段は、現像剤補給容器から現像剤受け入れ装置へ現像剤を補給するための現像剤補給システムにおいて、前記現像剤受け入れ装置は、前記現像剤補給容器が取り外し可能に装着されるとともに前記現像剤補給容器のセット方向への回動を伴うセット動作を許容する装着部と、前記セット方向とは逆方向へ回転可能な駆動ギアと、を有し、前記現像剤補給容器は、現像剤を収容する収容部と、前記セット動作に伴い上方から側方を向くように前記現像剤補給容器の周面に設けられた現像剤排出口と、前記収容部内の現像剤を前記現像剤排出口に向けて搬送する回転可能な搬送部材と、前記駆動ギアと噛合い可能に設けられ前記現像剤補給容器に前記セット方向への力が生じるように前記セット方向とは逆方向へ回転する前記駆動ギアからの回転力を前記搬送部材へ伝達するとともに前記セット方向とは逆方向へ前記搬送部材を回転させる駆動伝達手段と、を有する、ことを特徴とする。